(57)【要約】【課題】レーザ駆動回路へのパラメータ転送期間に関わらず、高速で試し書き処理を行うことができるようにする。【解決手段】１セクタにＮ回、レーザ駆動用パラメータをレーザ駆動回路に転送する。レーザ駆動回路にパラメータを記憶するメモリを持ち、Ｎ回目の試し書き中に（Ｎ＋１）回目のレーザ駆動用パラメータをメモリに転送する。また、レーザ駆動回路から、メモリの情報がパラメータに反映されたことを示すタイミングを得ることにより、試し書き処理で使用するエラーパルス等をカウントするためのカウンタ窓を作成することにより、高速で精度よく試し書きを行うことができる。【選択図】  図４
2004246934.tif 000002
【特許請求の範囲】
【請求項１】
光学的情報記録媒体に情報を記録する光ディスク装置であって、
レーザの記録条件を定める試し書き手段と、
該記録条件にて発光させるレーザ駆動手段と、
前記記録条件を定めるときに、レーザを駆動するためのパラメータを、レーザ駆動手段に転送するパラメータ転送手段を有し、
前記試し書き手段は、エラーパルスまたはマークスペースをカウントする手段と、
前記転送されたパラメータが、前記レーザ駆動手段を介し、レーザに反映されたことを示すタイミングを取得する手段を有し、
前記タイミングに基づいて試し書き処理回路のカウンタ窓を作成することを特徴とする光ディスク装置。
【請求項２】
請求項１に記載の光ディスク装置において、
パラメータ転送手段は、１セクタまたは１シンクフレームをＮ等分したタイミング、または１シンクフレームを１単位としてＮ回毎のタイミングで、試し書き時の実行パラメータを前記レーザ駆動手段に転送し、
前記記録条件を定めるレーザパワー及びパルス幅を変化させる手段を有することを特徴とする光ディスク装置。
【請求項３】
請求項２に記載の光ディスク装置において、
前記レーザ駆動手段は、
レーザを駆動するためのパラメータを記憶する記憶手段と、
該記憶手段の情報をレーザに反映させる切り替え手段を有し、
Ｎ回目（Ｎは整数）の試し書きをする期間に、
（Ｎ＋１）回目の試し書きを行うための、レーザパラメータを転送することを特徴とする光ディスク装置。
【請求項４】
請求項２に記載の光ディスク装置において、
前記記憶手段は、第一の記憶手段と第二の記憶手段から構成され、
該第一の記憶手段と第二の記憶手段に入力するパラメータ切り替え手段を有し、
前記第一の記憶手段に記憶されたレーザパラメータに基づき試し書きを行っている期間に、前記パラメータ転送手段から前記第二の記憶手段にレーザパラメータを転送し、
前記第ニの記憶手段に記憶されたレーザパラメータに基づき試し書きを行っている期間に、前記パラメータ転送手段から前記第一の記憶手段にレーザパラメータを転送することを特徴とする光ディスク装置。
【請求項５】
請求項４に記載の光ディスク装置において、
前記光学的情報記録媒体とは、ＤＶＤ−ＲＡＭであり、
記録領域がランド、グルーブの何れであるかの検出手段有し、
ランドを検出した場合は、前記第一の記憶手段のレーザパラメータ情報を用いてランドに記録を行い、
グルーブを検出した場合は、前記第二の記憶手段のレーザパラメータ情報を用いてグルーブに記録を行うことを特徴とする光ディスク装置。
【請求項６】
請求項４に記載の光ディスク装置において、
前記パラメータ切換手段に供給される切換制御信号は１本の信号線を介して供給されることを特徴とする光ディスク装置。
【請求項７】
複数のセクタ、または、フレームから記録領域が構成される記録型光ディスクに対しレーザ光を照射するレーザと、
該レーザを駆動するためのレーザ駆動波形を供給するレーザ駆動波形記憶手段と、
該レーザ駆動波形記憶手段に対しフレキシブルケーブルを介してレーザ制御パラメータを供給する制御回路と、
を具備する光ディスク装置であって、
前記１のセクタ、または、フレームに対する試し書き時に、複数回に分けて前記レーザ駆動波形記憶手段に対し前記制御パラメータを供給することを特徴とする光ディスク装置。
【請求項８】
複数のセクタ、または、フレームから記録領域が構成される記録型光ディスクに対しレーザ光を照射するレーザと、
該レーザを駆動するためのレーザ駆動波形を供給するレーザ駆動波形記憶手段と、
該レーザ駆動波形記憶手段に対しレーザ制御パラメータを供給するメモリ手段と、
該メモリ手段に対しフレキシブルケーブルを介してレーザ制御パラメータを供給する制御回路と、
を具備する光ディスク装置であって、
前記レーザ駆動波形記憶手段と、前記メモリ手段は同一のＬＳＩ内部に設置されており、
前記１のセクタ、または、フレームに対する試し書き時に、複数回に分けて前記レーザ駆動波形記憶手段に対し前記制御パラメータを供給することを特徴とする光ディスク装置。
【請求項９】
請求項７または８に記載の光ディスク装置において、
前記レーザ駆動波形記憶手段へ前記レーザ制御パラメータを転送した後に記録された記録信号を用いて試し書きの評価を行なうことを特徴とする光ディスク装置。
【発明の詳細な説明】
【０００１】
【発明の属する技術分野】
本発明は、記録型光ディスク記録装置に関し、特に高速に試し書きを行う処理に関する。
【０００２】
【従来の技術】
従来のレーザ駆動回路では、光ディスクへの記録マーク形状を制御しするため、記録レーザをパルス分割、多値レベルに変化させる駆動波形制御を行っている。具体的には、レーザ駆動回路内のメモリに記憶された駆動波形情報を順次パケット単位で復元することで得たレーザ駆動電流により駆動波形制御が行なわれる。
【０００３】
ここで、レーザ駆動回路用パラメータは、フレキシブル配線上の信号線数低減のために、レーザ駆動用のアドレスとデータをシリアル転送し、シリアル転送されたアドレスおよびデータに基づきレーザ駆動回路の制御を行なっていた（例えば、特許文献１参照）。
【０００４】
【特許文献１】特開１１−２８３２４９号公報  （第４頁、第１図、第１９図駆動電流復元手段、第２０図パケット復元手段）
【０００５】
【発明が解決しようとする課題】
光ディスクを記録メディアとして使用するカメラでは、ユーザが録画ボタンをオンした場合、直ぐに記録状態となることが好ましいため、レーザパワー、レーザパルス幅等を最適にするための試し書き処理時間の短縮、即ち、高速の試し書き処理が要求されている。
【０００６】
上記特許文献１記載の光ディスク装置では、レーザ駆動回路側のタイミング生成回路の仕様から、シリアル転送を行うときのクロック周波数が決まる。即ち、レーザ駆動回路用パラメータをシリアル転送するために要する時間は、レーザ駆動回路側のタイミング生成回路の仕様に起因するクロック周波数に依存することとなる。例えば、シリアル転送用クロックが６０ｎｓのとき、レーザ駆動回路用パラメータ（３２種類のアドレス（７ｂｉｔ）、及び、データ（８ｂｉｔ））を送るためには、約３５ｕｓかかる。
【０００７】
従来、ＤＶＤ−ＲＡＭディスクを用いる光ディスク装置では、試し書きに使用しないＰＩＤ区間でレーザ駆動回路用パラメータを転送し、レーザパワーを変化させていた。このときＰＩＤ区間は３５ｕｓ以上存在していたため、ＰＩＤ区間内にレーザ駆動回路用パラメータ転送を完了させることができ、特に問題は生じていなかった。
【０００８】
しかし、近年、ＤＶＤ−ＲＡＭへの高速記録が求められている。ＤＶＤ−ＲＡＭ２倍速（２９．１８ＭＨｚ×２）を超えた場合にはＰＩＤ期間は３５ｕｓより短くなってしまうため、ＰＩＤ区間内にレーザ駆動回路用パラメータをシリアル転送完了させることができない。従って、パラメータ転送を完了させるためには、複数のＰＩＤ区間を用いてパラメータ転送を行なうか、ＰＩＤ区間に続くデータ領域でもレーザ駆動回路用パラメータのシリアル転送を続行するか、何れかを行なう必要がある。
【０００９】
ここで、試し書きの品質評価は、試し書きされたマークスペースのエラーパルスをカウントすることにより行なうが、レーザ駆動回路へのパラメータ転送中は、レーザのパワー等が確定していないため、この期間に試し書きされたデータからは適切な品質評価を行なうことは出来ない。そのため、パラメータ転送区間は、品質評価を行なわない必要がある。具体的には、パラメータ転送区間を排除する形で、マークスペース、エラーパルスをカウントするカウント窓幅を作成する必要がある。
【００１０】
高速試し書きの品質評価の際にはパラメータ入力に要する時間が一定であるという問題が大きくなる。すなわち、記録速度とパラメータ入力に要する時間を関連付けることが出来ないため、データ領域でもレーザ駆動回路用パラメータのシリアル転送を続行する場合には、高速記録になるほど試し書き／品質評価に用いることの出来る領域（カウント窓幅）が狭くなってしまい、試し書きの品質が劣化するという問題が大きくなる。
【００１１】
また、従来の試し書き方法では１セクタに１回レーザ駆動回路にパラメータを転送していた。しかし、この方法では１セクタ区間で１パターンの試し書きしか行なうことが出来ないため、短時間で複数パターンの試し書きを行なうことが困難である。
【００１２】
なお、ＰＩＤ領域を有さないＤＶＤ±Ｒ／ＲＷに試し書きを行なう場合であっても、高速書き込み時は、パラメータ転送時間が相対的に大きくなるため同様の問題が生じる。
【００１３】
本発明の第１の課題は、高速な試し書きを可能とする光ディスク記録装置を提供することである。
【００１４】
本発明の第２の課題は、書き込みフォーマットの異なるＤＶＤ−ＲＡＭ、ＤＶＤ±Ｒ／ＲＷ等に対応したマルチディスクドライブに対応する高速試し書きを可能とする光ディスク装置を提供することである。
【００１５】
【課題を解決するための手段】
上記課題は、１セクタまたは１シンクフレームをＮ等分したタイミング、または１シンクフレームを１単位としてＮ回毎のタイミングで、レーザ駆動回路用のパラメータを転送した後に、レーザへのパラメータが反映されたタイミングを取得することにより、カウント窓を作成することにより改善される。
【００１６】
また、Ｎ回目（Ｎは、整数）の試し書きをする期間に、（Ｎ＋１）回目のレーザパラメータをレーザ駆動回路内のメモリに転送することにより改善される。
【００１７】
【発明の実施の形態】
図１は本発明の光ディスク装置の一実施形態を示すブロック図である。ここにおいて、１はＤＶＤ±Ｒ／ＲＷ何れかの光ディスク、２はスピンドルモータ、３は光ヘッド、４は再生回路、５はレーザ駆動回路、６は試し書き処理回路、７は復調回路、８は変調回路、９は制御回路、１０はホスト、１１は信号処理回路、５１は電流駆動回路、５２は駆動波形情報記憶部、５３はシリアルパラレル変換部、９１はパラメータ転送処理設定部をそれぞれ表わす。なお、レーザ駆動回路５、信号処理回路１１は、それぞれ別のＬＳＩで構成され、フレキシブルケーブルを介して接続されている。
【００１８】
光ディスク１はスピンドルモータ２に保持されて回転しており、光ヘッド３は、情報の記録および再生を行うレーザ光を発光する半導体レーザと、半導体レーザからの光をディスク面上に光スポットとして形成する光学系と、光ディスク１からの反射光を用いて情報の再生および自動焦点およびトラック追跡などの光点制御を行うための光検出器とから構成され、光ディスク１上に情報の記録を行い、また光ディスク１上の情報の再生を行う。光ディスク装置は、パーソナルコンピュータ、ワークステーション等のホストコンピュータ（以下「ホスト１０」と称す）に接続されており、ホスト１０からの命令や情報データを、マイコン等から構成される制御回路９を通して情報の記録、再生およびシーク動作を実行する。
【００１９】
再生処理は、ホスト１０が、制御回路９に対して再生開始指示を与えることにより開始される。光ディスクからの反射光は光ヘッド３、再生回路４、復調回路７を経て再生信号として検出される。再生時、光ヘッド３のレーザは、低出力のＤＣパワーを発光する。
【００２０】
通常記録処理は、ホスト１０が、制御回路９に対して記録開始指示を与えることにより開始される。ホスト１０から入力された記録用のデータは、制御回路９から変調回路８、レーザ駆動回路５を経て、記録処理の前の試し書き処理によって得られた最適なレーザパワー、パルス幅等を記憶した駆動波形情報記憶部５２の情報にて、光ヘッド３により、光ディスク１に記録信号として書き込まれる。駆動波形情報記憶部５２の情報により、変調回路８からのＮＲＺＩパターンのマークスペースに応じた駆動波形を復元する。記録時は、光ヘッド３のレーザは、レーザ光を高出力でパルス発光し、円板上に情報を記録する。
【００２１】
試し書きの記録処理は、前記通常記録処理に先立ち行われる。まず、ホスト１０により、１セクタ区間でのレーザ駆動回路用パラメータの転送回数（Ｎ回）を設定する。再生回路４、復調回路７及び制御回路９により、１セクタ毎の基準位置（レーザ駆動回路用パラメータ転送基準位置）を検出し、１セクタ毎にＮ回転送するタイミング信号を発生させる。タイミング信号に基づき転送されたパラメータは、シリアルパラレル変換後に駆動波形情報記憶部５２に貯えられ、電流駆動回路５１の電流値を復元する際に参照される。
【００２２】
パラメータ転送の完了後に、電流駆動回路５１がレーザ駆動回路用パラメータが反映されたことを示すタイミング信号を発生させる。この時点で、レーザに転送パラメータが全て反映され、レーザ駆動電流が確定したため、このタイミングから、試し書きで書き込んだ情報を再生し、エラーパルス、マークスペース等をカウントし、試し書きの品質評価を開始する。
【００２３】
次に、試し書き処理の手順の一例を説明する。まず、１トラック分特定のＮＲＺＩパターンを発生させ、ホスト１０を介し、パラメータ転送設定部９１に設定されたタイミング（Ｎ回／１セクタ）毎にレーザパラメータを転送し、試し書きを行う。その後アクセス時間等を考慮して、次の周回でこのトラックを再生し、エラーパルス、マークスペースをカウントし、品質評価の結果に基づき、最適なレーザパワー等を選択し、駆動波形情報記憶部５２に最適なレーザパラメータを格納することになる。
【００２４】
最適パワーを求める場合は、設定された範囲（Ｎ回／１セクタ）毎にレーザパワーを変化させ、試し書きを行う。また、シフト補正は、設定された範囲（Ｎ回／１セクタ）毎に所定のマーク長スペース長を変化させ、試し書きを行う。
【００２５】
レーザ駆動電流にパラメータが反映されたことを示すタイミング信号は、試し書き処理回路６のレジスタ等に記憶させておく。例えば、ディスク上のセクタの先頭を示すタイミングからのクロック数等をレジスタに記憶させる。
【００２６】
図２に、図１の実施例のタイミング図を示す。まず、セクタの先頭タイミングの取得方法を説明する。ＤＶＤ−Ｒ／ＲＷは、４セクタ毎にＬＰＰ（ランドプリピット）がディスクに刻まれている（図２（１））。ＤＶＤ＋Ｒ／ＲＷには、ワードシンクが４セクタ毎に刻まれている（図２（２））。これらの基準信号を検出することにより、１セクタ毎の先頭位置を知ることができる。
【００２７】
図２では、１セクタに３回転送を行う場合を例示している。１セクタ毎の先頭位置より、セクタを３等分した位置（基準位置）は、カウンタ等で求めることができる（図２（３））。求めた基準位置に対応するタイミング（図２（５））で、制御回路からパラメータをレーザ駆動回路に転送する（図２（４））。その後、レーザ駆動回路がパラメータを反映したタイミング信号を試し書き回路が取得する（図２（６））。レーザは、所定のマークスペースをディスクに書き込む（図２（７））。試し書き処理回路では、取得したタイミング信号（図２（６）（５））に基づきカウンタ窓を作成し、エラーパルス、マークスペースをカウントし、最適なレーザ駆動パラメータを求める（図２（８））。
【００２８】
ＤＶＤ＋Ｒ／ＲＷディスクを用いた場合、パラメータ転送タイミング信号は、第一の同期信号であるワードシンクを基準に４セクタをＮ等分して作成しても良い。また、第二の同期信号であるビットシンクは２シンクフレーム毎に存在するので、ビットシンクを基準に２シンクフレーム毎にタイミングを作成しても良い。また、１シンクフレームを１単位としてＮ回毎にタイミング信号を作成しても良い。
図３に転送パラメータについて示す。ＳＥＮはイネーブル信号、ＳＣＬＫは転送クロック、ＳＤＩＯは転送データである。ＳＤＩＯは、モード１ビット、アドレス７ビット、データ８ビットで１組である。ここでは、１回のシリアル転送で、最大３２組転送できるように設定されているがこれに限られるものではなく、種々の値を設定することが出来る。モードは、通常０だが、１を立てるとデータの転送を強制的に終了させることができる。なお、レーザ駆動回路のパラメータは、通常１２８個〜２５６個存在する。従来、ＤＶＤ−ＲＡＭディスク使用の場合、ＰＩＤの期間毎にパラメータを転送していた。そのため、一回のＰＩＤ期間で全て転送することができないため、複数個のＰＩＤ期間に分けて１２８個〜２５６個のパラメータを転送していた。
【００２９】
高速に試し書きをする場合は、図３（３）の１セクタに相当する時間は短くなるが、パラメータ転送に用いられるレーザ駆動回路のクロックＳＣＬＫは一定であるため、パラメータ転送期間は一定である。すなわち、第１の実施例の構成では、高速記録が実現できても、高速試し書きはパラメータ転送時間が相対的に大きくなるため、カウント窓幅が相対的に狭くなってしまい、エラーパルス、マークスペースを検出する期間が短くなる問題点がある。
【００３０】
また、第１の実施例では、レーザ駆動回路５（ＬＳＩ）と信号処理回路１１（ＬＳＩ）との間はフレキシブルケーブルを介して信号を転送している。フレキシブルケーブル上で生じる伝送波形のひずみ、遅延等の影響を軽減するため、各ＬＳＩ内で動作させるクロックよりも低いクロックを用いる必要がある。即ち、レーザ駆動回路用パラメータ転送用のクロックを上げることは困難であり、第１の実施例の構成ではパラメータ転送期間を短縮することで高速試し書きを実現することは出来ない。
【００３１】
この問題を解決するため、図４に示す第２の実施例では、パラメータ転送時間が高速試し書きのネックにならない光ディスク装置を示す。図４において図１と同一の機能を有するものは、同一の番号を付している。第１の実施例と異なるのは、５４はスイッチ、５５はメモリを追加した点である。
【００３２】
図４に示す光ディスク装置では、レーザ駆動回路５に転送したパラメータを、シリアルパラレル変換した後に、メモリ５５に一旦貯え、制御回路９からのタイミング信号に基づき、電流駆動回路５１に直接転送、即ち、ＬＳＩ内部の高速クロックに依存する速さで電流駆動回路５１に転送できるようにする。つまり、Ｎ回目の試し書きを行っている最中に、フレキシブルケーブルを介して（Ｎ＋１）回目の試し書きパラメータをメモリ５５に転送し、（Ｎ＋１）回目の試し書きを行なう直前にメモリ５５から電流駆動回路５１へパラメータを転送することになる。
【００３３】
これにより、制御回路９からレーザ駆動回路５へのパラメータ転送のネックを回避することができる。そのため、１回の転送で１２８〜２５６個のパラメータを転送できる。なお、メモリ１パラメータを電流駆動回路に反映させるタイミングは、実施例１と同様に１セクタ毎にＮ回指定することができる。
【００３４】
図５に第２の実施例のタイミングを示す。１セクタに３回パラメータ転送する場合の例である。まず、１回目の転送により、アドレスとデータはシリアルパラレル変換されて、メモリ５５に貯えられる（図５（４））。制御回路９より、メモリ５５のデータを電流駆動回路に反映させるタイミング信号（図５（５）  ｓｔａｒｔ）が、レーザ駆動回路のスイッチ５４に入力される。これにより、メモリ５５の１回目の転送パラメータがレーザ駆動電流に直ぐに反映される（図５（６）  ｅｎｄ）。このとき、メモリ５５、レーザ駆動電流回路は、転送クロックでなく、レーザ駆動回路の内部クロックで動作するため、制御回路９からレーザ駆動回路５へのパラメータ転送時間に比較し短時間で、電流駆動回路にパラメータが反映できる。
【００３５】
パラメータが反映されたレーザ設定により、１回目の試し書きを行う。この１回目の試し書きを行っている間に、２回目のレーザパラメータを転送し、メモリ５５に転送する。試し書きは、メモリ５５のデータを電流駆動回路５１に反映させるタイミング信号に基づき開始される。このタイミング後に、２回目のレーザパラメータを転送する構成としても良い。（図５（４））
試し書き処理回路６は、メモリ５５のデータを電流駆動回路５１に反映させるタイミング信号を取得し、試し書き回路６のレジスタにタイミング信号を書き込む。試し書きが終わった後に、試し書きによりディスクに書き込んだマークスペースを再生し、図５（５）、（６）のｓｔａｒｔ、ｅｎｄタイミング信号に基づき、カウンタ窓を作成し、エラーパルス等をカウントする。
【００３６】
第２の実施例により、レーザ駆動回路へのパラメータ転送時間に関係なく、Ｎ回目の試し書きを行っている期間に、（Ｎ＋１）回目のパラメータを転送するため、カウンタ窓幅を大きくとることができ、試し書きの精度を上げることができる。また、一度の転送でレーザパラメータの全て（例えば１２８〜２５６組）のアドレスとデータを転送できるために、試し書き時間の短縮化が図れる。
図６に第３の実施例の光ディスク装置を示す。図４と同一の機能を有するものは、同一の番号を付している。図４の実施例と異なるのは、スイッチ５６、メモリ５７、ＤＶＤ−ＲＡＭ（通常記録時）の場合のメモリ設定部９２、ＤＶＤ±Ｒ／ＲＷ（通常記録時）の場合のメモリ設定部９３を追加した点である。また、１はＤＶＤ−ＲＡＭ、ＤＶＤ±Ｒ／ＲＷ何れかの光ディスクを示す。すなわち、第３の実施例はＤＶＤ±Ｒ／ＲＷだけでなく、ＤＶＤ−ＲＡＭにも対応した実施例である。
【００３７】
ＤＶＤ−ＲＡＭでは、ランド記録時とグルーブ記録時にパワー等を変更する必要がある。そのため、第３の実施例の光ディスク装置ではランド用メモリ１（５５）、グルーブ用メモリ２（５７）を備える。
【００３８】
まず、ＤＶＤ−ＲＡＭ通常記録動作を説明する。記録する位置がランドかグルーブかの判定を、再生回路４、復調回路７を介し、制御回路９で行う。ランドのときには、ランド用メモリ１の使用を指示する信号が制御回路９のメモリ設定部９２からレーザ駆動回路５１に入力され、あらかじめ試し書きによって最適化されたレーザパラメータを記憶しているランド用メモリ１の情報が電流駆動回路５１に反映される。また、グルーブのときには、グルーブ用メモリ２の使用を指示する信号が、制御回路９からレーザ駆動回路５１に入力され、グルーブ用メモリ１の情報が電流駆動回路５１に反映される。
【００３９】
次に、ＤＶＤ−ＲＡＭ試し書き動作を説明する。この場合は、ランド、グルーブ信号によりメモリ１、２を切り替えるのではなく、第２の実施例と同様に、１セクタにＮ回レーザ駆動回路用パラメータを転送する情報を持つ設定部９１により、交互にメモリ１、メモリ２を切り替える。
【００４０】
なお、ＤＶＤ±Ｒ／ＲＷ通常記録動作では、メモリ設定部９３からの指示信号に基づき、メモリ１あるいはメモリ２の一方を使用する。すなわち、ＤＶＤ±Ｒ／ＲＷディスクに対する試し書きは、ＤＶＤ−ＲＡＭの試し書きと同様の動作により行なう。
【００４１】
図７に第３の実施例のタイミングを示す。ＤＶＤ−ＲＡＭディスク試し書き時に１セクタに３回パラメータ転送する例である。
【００４２】
まず、ＰＩＤ部を検出し、転送タイミングを求める（図７（２））。ＰＩＤ部を検出することにより、１セクタをＮ等分した位置を求めることができる。この位置を転送タイミングとして用い、電流駆動回路へのパラメータを反映させるための切り替え信号（図７（３））を、オン、オフさせる。
【００４３】
切り替え信号がオンの場合は、メモリ切り替えスイッチ１（５６）は、メモリ１（５５）を選択する。制御回路９からパラメータがシリアルパラレル変換部５３、メモリ切り替えスイッチ１（５６）を介し、メモリ１（５５）にパラメータが入力される。また、切り替え信号がオンの場合は、メモリ切り替えスイッチ２（５４）は、メモリ２（５７）を選択し、メモリ切り替え信号がオフの時に入力された電流情報を電流駆動回路５１に反映させ、マークスペースを記録する（図７（４））。電流駆動回路より得られたメモリ２（５７）から電流駆動回路へのパラメータが反映されたタイミング信号を試し書き処理回路６が取得し、カウンタ窓を作成する（図７（５））。試し書きが終わった後に、エラーパルス、マークスペースの個数をカウントし、試し書きの品質を評価することで最適なレーザ駆動パラメータを求める。
切り替え信号がオフの場合は、メモリ切り替えスイッチ１（５６）は、メモリ２（５７）を選択する。制御回路９からパラメータがシリアルパラレル変換部５３、メモリ切り替えスイッチ１（５６）を介し、メモリ２（５７）にパラメータが入力される。また、切り替え信号がオフの場合は、メモリ切り替えスイッチ２（５４）は、メモリ１（５５）を選択し、メモリ切り替え信号がオンの時に入力された電流情報を電流駆動回路５１に反映させ、マークスペースを記録する（図７（４））。電流駆動回路より得られたメモリ１（５５）から電流駆動回路へのパラメータが反映されたタイミング信号を試し書き処理回路６が取得し、カウンタ窓を作成する（図７（５））。試し書きが終わった後に、エラーパルス、マークスペースの個数をカウントし、試し書きの品質を評価することで最適なレーザ駆動パラメータを求める。
なお、図６の第３の実施例では、信号処理回路１１からレーザ駆動回路５へのメモリ切り替え信号を複数本出力しているが、信号処理回路１１内またはレーザ駆動回路５内で切り替えスイッチを設けることにより、メモリ切り替え信号を１本にすることができ、フレキシブル配線上の信号線を低減できる。
【００４４】
以上により、異なったフォーマットのディスク（ＤＶＤ−ＲＡＭ、ＤＶＤ±Ｒ／ＲＷ）に対応し、メモリ１、２を使用し、制御回路からレーザ駆動回路用パラメータの転送時間に関係なく、ディスクに試し書き用のデータを書き込むことができる。また、レーザ駆動回路５より、パラメータが駆動電流に反映し終わったことを示すタイミングを得ることにより、カウンタ窓を作成できる。これにより、効率よく試し書きできることになり、試し書きの精度が上がる。
【００４５】
【発明の効果】
本発明によると、光ディスク装置において高速試し書きを行うことができる。また、レーザ駆動回路へのパラメータ転送時間に関係なく、試し書き処理回路のカウンタ窓を生成できるようになるため、高速化しても高品質の試し書きを行なうことが出来る。
【図面の簡単な説明】
【図１】第１の実施例の光ディスク装置を示す図。
【図２】第１の実施例の光ディスク装置におけるタイミング図。
【図３】第１の実施例の光ディスク装置におけるタイミング図。
【図４】第２の実施例の光ディスク装置を示す図。
【図５】第２の実施例の光ディスク装置におけるタイミング図。
【図６】第３の実施例の光ディスク装置の実施例を示す図。
【図７】第３の実施例の光ディスク装置におけるタイミング図。
【符号の説明】
１…光ディスク、２…スピンドルモータ、３…光ヘッド、４…再生回路、５…レーザ駆動回路、６…試し書き処理回路、７…復調回路、８…変調回路、９…制御回路、１０…ホストコンピュータ、１１…信号処理回路、５１…電流駆動回路、５２…駆動波形情報記憶部、５３…シリアルパラレル変換部、５４…メモリ切り替えスイッチ２、５５…メモリ１、５５…メモリ２、５６…メモリ切り替えスイッチ１、９１…パラメータ転送設定部、９２、９３…メモリ切り替え設定部。
【図１】
2004246934.tif 000003
【図２】
2004246934.tif 000004
【図３】
2004246934.tif 000005
【図４】
2004246934.tif 000006
【図５】
2004246934.tif 000007
【図６】
2004246934.tif 000008
【図７】
2004246934.tif 000009